(57)【要約】【解決手段】８０２．１１ａｈパケットを送信するための方法が提供される。制御回路を用いて、トレーニングフィールドシーケンスが生成される。制御回路を用いて、パケットのプリアンブルが生成される。プリアンブルはトレーニングフィールドシンボルを含み、トレーニングフィールドシンボルはトレーニングフィールドシーケンスを含む。トレーニングフィールドシーケンスの一部はトレーニングフィールドシンボルの複数のガードトーンの内側にある。プリアンブルは、送信回路を用いて送信される。【選択図】図１
2015510339.tif 000002
【特許請求の範囲】
【請求項１】
８０２．１１ａｈパケットを送信するための方法であり、
制御回路を用いてトレーニングフィールドシーケンスを生成する段階と、
前記制御回路を用いてパケットのプリアンブルを生成する段階と
を備え、
前記プリアンブルはトレーニングフィールドシンボルを含み、
前記トレーニングフィールドシンボルは前記トレーニングフィールドシーケンスを含み、
前記トレーニングフィールドシーケンスの一部は前記トレーニングフィールドシンボルの複数のガードトーンの内側にあり、
前記方法は、送信回路を用いて前記プリアンブルを送信する段階を備える、
方法。
【請求項２】
前記トレーニングフィールドシンボルの前記複数のガードトーンの内側にある前記トレーニングフィールドシーケンスの前記一部は非ゼロである、請求項１に記載の方法。
【請求項３】
前記トレーニングフィールドシンボルの前記複数のガードトーンの内側にある前記トレーニングフィールドシーケンスの前記一部は、前記トレーニングフィールドシンボルの両端に位置する複数のガードトーンの内側にある前記トレーニングフィールドシーケンスの両端にある、請求項１または２に記載の方法。
【請求項４】
前記トレーニングフィールドシーケンスは、ベースライン帯域幅のものと実質的に同様のトレーニングフィールドシーケンスの複数の反復に基づく、請求項１から３のいずれか１項に記載の方法。
【請求項５】
前記ベースライン帯域幅の前記トレーニングフィールドシーケンスは、｛１，１，ＬＴＦｌｅｆｔ，０，ＬＴＦｒｉｇｈｔ，−１，−１｝であるビットシーケンスを含み、
ＬＴＦｌｅｆｔおよびＬＴＦｒｉｇｈｔは、予め定められた複数のトレーニングフィールドビットシーケンスである、請求項４に記載の方法。
【請求項６】
前記ベースライン帯域幅は２ＭＨｚである、請求項４または５に記載の方法。
【請求項７】
前記パケットの前記プリアンブルを生成する段階は、ベースライン帯域幅よりも大きい帯域幅の前記プリアンブルを生成する段階を有する、請求項４から６のいずれか１項に記載の方法。
【請求項８】
前記トレーニングフィールドシンボルは第１トレーニングフィールドシンボルであり、
前記プリアンブルを送信する段階は、第２トレーニングフィールドシンボルと同じトーン当たりの周波数領域電力で前記第１トレーニングフィールドシンボルを送信する段階を有する、
請求項１から７のいずれか１項に記載の方法。
【請求項９】
前記第１トレーニングフィールドシンボルおよび前記第２トレーニングフィールドシンボルは前記パケット内にある、請求項８に記載の方法。
【請求項１０】
前記第２トレーニングフィールドシンボルは、前記第２トレーニングフィールドシンボルの複数のガードトーンにより画定されるトレーニングフィールドシーケンスを含む、請求項８または９に記載の方法。
【請求項１１】
８０２．１１ａｈパケットを送信するためのシステムであり、
プリアンブル回路を備え、
前記プリアンブル回路は、
（ｉ）トレーニングフィールドシーケンスを生成し、
（ｉｉ）パケットのプリアンブルを生成し、
前記プリアンブルはトレーニングフィールドシンボルを含み、
前記トレーニングフィールドシンボルは前記トレーニングフィールドシーケンスを含み、
前記トレーニングフィールドシーケンスの一部は前記トレーニングフィールドシンボルの複数のガードトーンの内側にあり、
前記プリアンブル回路は、
（ｉｉｉ）送信のために前記プリアンブルを提供する、
システム。
【請求項１２】
前記トレーニングフィールドシンボルの前記複数のガードトーンの内側にある前記トレーニングフィールドシーケンスの前記一部は非ゼロである、請求項１１に記載のシステム。
【請求項１３】
前記トレーニングフィールドシンボルの前記複数のガードトーンの内側にある前記トレーニングフィールドシーケンスの前記一部は、前記トレーニングフィールドシンボルの両端および複数のガードトーンの内側にある前記トレーニングフィールドシーケンスの両端にある、請求項１１または１２に記載のシステム。
【請求項１４】
前記トレーニングフィールドシーケンスは、ベースライン帯域幅のトレーニングフィールドシーケンスと実質的に同様の複数の反復に基づく、請求項１１から１３のいずれか１項に記載のシステム。
【請求項１５】
前記ベースライン帯域幅の前記トレーニングフィールドシーケンスは、｛１，１，ＬＴＦｌｅｆｔ，０，ＬＴＦｒｉｇｈｔ，−１，−１｝であるビットシーケンスを含み、
ＬＴＦｌｅｆｔおよびＬＴＦｒｉｇｈｔは、予め定められた複数のトレーニングフィールドビットシーケンスである、請求項１４に記載のシステム。
【請求項１６】
前記ベースライン帯域幅は２ＭＨｚである、請求項１４または１５に記載のシステム。
【請求項１７】
前記プリアンブル回路は、前記ベースライン帯域幅よりも大きい帯域幅の前記プリアンブルを生成する、請求項１４から１６のいずれか１項に記載のシステム。
【請求項１８】
前記トレーニングフィールドシンボルは第１トレーニングフィールドシンボルであり、
前記システムは、第２トレーニングフィールドシンボルと同じトーン当たりの周波数領域電力で前記第１トレーニングフィールドシンボルを送信する送信回路を備える、請求項１１から１７のいずれか１項に記載のシステム。
【請求項１９】
前記第１トレーニングフィールドシンボルおよび前記第２トレーニングフィールドシンボルは前記パケット内にある、請求項１８に記載のシステム。
【請求項２０】
前記第２トレーニングフィールドシンボルは、前記第２トレーニングフィールドシンボルの複数のガードトーンにより画定されるトレーニングフィールドシーケンスを含む、請求項１８または１９に記載のシステム。
【発明の詳細な説明】
【技術分野】
【０００１】
［関連出願の相互参照］
本願は、合衆国法典第３５巻第１１９条（ｅ）のもと、２０１２年１月３０日に提出された米国仮特許出願第６１／５９２，４３２号の便益を主張する。当該仮特許出願は、その全体が参照により本明細書に組み込まれる。
【０００２】
本開示は一般的に通信システムおよび方法に関し、より詳細には、通信システムにおいてプリアンブルシンボルを生成するためのシステムおよび方法に関する。
【背景技術】
【０００３】
本明細書で提供される背景の説明は、本開示の背景を一般的に示すことを目的としている。この背景技術のセクションで説明される範囲において、本願発明の発明者らによる研究、および提出時点において先行技術として見なされ得ない説明の態様は、本開示の先行技術として明示的にも暗示的にも認められない。
【０００４】
８０２．１１ａｈ規格により、以前の無線規格により提供されるものを超える無線ローカルアクセスネットワーク（ＷＬＡＮ）の範囲が可能となる。このことは、より低い信号帯域幅でのサブ１ＧＨｚバンドの動作により達成される。
【０００５】
８０２．１１ａｈ規格の設計において、以前の無線規格からの同様の構成パラメータが用いられていた。このことによりハードウェア製造業者は、８０２．１１ａｈ規格のみでなく、同様のハードウェアにより以前の無線規格もサポートする無線デバイスを開発することが可能となる。
【０００６】
例えば、８０２．１１ａｃ規格からのプリアンブルシンボルの同様のロングトレーニングフィールド（ＬＴＦ）パラメータが、８０２．１１ａｈ規格において提案されている。しかし、選択された構成パラメータは、８０２．１１ａｈ規格をサポートする異なる信号帯域幅のパケットをデコードする場合に、無線デバイスにおいて課題を引き起こし得る。例えば、特定の状況において、プリアンブル内のＬＴＦシンボルは、無線パケットの全てのトーンのチャネル推定を生成するのに十分な情報を提供しないかもしれず、このようなことは、受信機が無線パケットをデコードすることを妨げ得る。
【発明の概要】
【課題を解決するための手段】
【０００７】
実施形態によると、８０２．１１ａｈパケットを送信するための方法が提供される。制御回路を用いてトレーニングフィールドシーケンスが生成される。制御回路を用いてパケットのプリアンブルが生成される。プリアンブルはトレーニングフィールドシンボルを含み、トレーニングフィールドシンボルはトレーニングフィールドシーケンスを含む。トレーニングフィールドシーケンスの一部はトレーニングフィールドシンボルの複数のガードトーンの内側にある。送信回路を用いてプリアンブルが送信される。
【０００８】
したがって、方法により、複数の異なる信号帯域幅のパケット、例えば８０２．１１ａｈ規格をサポートするパケットのデコードが可能となる。トレーニングフィールドシンボルのガードトーンの内側にトレーニングフィールドシーケンスの一部を含めることにより、無線パケットの関連するトーンのチャネル推定が生成され得、受信機が適切に無線パケットをデコードすることが可能となる。
【図面の簡単な説明】
【０００９】
本開示の更なる特徴、その本質、および様々な利点は、添付の図面と関連させて以下の詳細な説明を考慮することにより明らかとなる。図面を通じて、同様の参照文字は同様の部分を指す。
【００１０】
【図１】本開示の実施形態に係る無線通信システムの例を示す。
【００１１】
【図２】本開示の実施形態に係る８０２．１１ａｈパケットフォーマットの例を示す。
【００１２】
【図３】本開示の実施形態に係る、８０２．１１ａｈパケット内のプリアンブルフィールドのトーンマッピングの例示的な表現を示す。
【００１３】
【図４】本開示の実施形態に係る、８０２．１１ａｈパケット内のプリアンブルフィールドに関する再規定されたトーンマッピングの例示的な表現を示す。
【００１４】
【図５】本開示の実施形態に係る、８０２．１１ａｈパケット内のロングトレーニングフィールドに関する再規定されたトーンマッピングの例示的な表現を示す。
【００１５】
【図６】本開示の実施形態に係る、複数の異なる信号帯域幅に関するロングトレーニングフィールドシーケンスの例を示す。
【００１６】
【図７】本開示の実施形態に係る、プリアンブルを生成するための例示的な処理を示す。
【発明を実施するための形態】
【００１７】
本開示の全体的な理解を提供するよう、特定の例示的な実施形態を説明する。しかし、本明細書に説明されるシステムおよび方法は、対処される適用例にとって適切であるように適合および修正され得、本明細書に説明されるシステムおよび方法は、他の適した適用例で採用され得、そのような他の追加および修正は、本願の範囲から逸脱しない。
【００１８】
図１は、無線通信システム１００の例を示す。無線通信システム１００は、相互接続されて無線ネットワークを形成する複数のクライアントデバイスを含み得る。例えば、無線通信システム１００はアクセスポイント局（ＡＰ）１０２を含み得る。ＡＰ１０２は、ネットワーク１０６上で無線信号を介して無線局１０４ａ〜ｃと通信を行うよう構成され得る。
【００１９】
無線局１０４ａ〜ｃは、無線通信システム１００の無線ネットワーク規格に対応する何らかの適したタイプの無線デバイスであり得る。例えば、無線局１０４ａ〜ｃは、基地局１０２に対応するプロトコルまたは通信規格に基づいて動作し得る。いくつかの実施形態において、無線ネットワーク１０６は８０２．１１ａｈ無線規格プロトコルを用い得る。８０２．１１ａｈ無線プロトコルは、例えば、ネットワーク１０６上で確実に無線通信が起こることを可能とする様々な無線信号特性を規定し得る。
【００２０】
ＡＰ１０２は、ネットワークを介して、１または複数の無線局１０４ａ〜ｃへメッセージまたはパケットを送信し得る。パケットは、８０２．１１ａｈプロトコルなど無線ネットワークにより採用される送信プロトコルにより規定されるフォーマットであり得る。パケット内には、チャネル推定情報およびシグナリング情報を無線局１０４ａ〜ｃへ提供するプリアンブルシンボルがエンコードされ得る。シグナリング情報は、パケット内で送信されるデータをデコードするために無線局１０４ａ〜ｃが用い得るパラメータを含む。例えば、信号情報は、信号帯域幅パラメータ、パケットのエンコード構成、識別情報、および変調情報を含み得る。８０２．１１ａｈ無線規格内で規定される他のシグナリング情報が提供され得る。パケットをデコードおよび処理すべく、無線局１０４ａ〜ｃは、プリアンブルシンボルを処理およびデコードする。以下により詳細に説明されるように、ＡＰ１０２は、パケット内で送信されるプリアンブルシンボルを生成する制御回路を含み得る。無線局１０４ａ〜ｃは、ＡＰ１０２から受信するパケットのプリアンブルシンボルをインタープリトする制御回路を含み得る。特に、無線局１０４ａ〜ｃは、パケット内でプリアンブルシンボルを処理およびデコードするべくＡＰ１０２により用いられる補完的な技術を適用し得る。いくつかの実施形態において、無線局１０４ａ〜ｃは、同様の技術を用いて、ＡＰ１０２のものと同様のプリアンブルシンボルを含むパケットをＡＰ１０２へ送信し得る。
【００２１】
図２は、８０２．１１ａｈパケットフォーマット２００の例を示す。示されるように、フィールドとしても知られる様々なシンボルが、８０２．１１ａｈパケット内で送信される。これらのフィールドは、ショートトレーニングフィールド（ＳＴＦ）２０２、シグナリングフィールド（ＳＩＧ）２０６、ロングトレーニングフィールド（ＬＴＦ）２０８、２１２、およびデータフィールド２１４を含む。
【００２２】
ＳＴＦ２０２シンボルは、ＡＰ１０２により生成され、パケットを受信する無線局１０４ａ〜ｃへ同期情報を提供する。同期情報は無線局１０４ａ〜ｃに対し、無線局と、ＡＰ１０２および他の無線局１０４ａ〜ｃとを同期させるための情報を提供する。ＬＴＦ２０８シンボルはＡＰ１０２により生成され、パケットを受信する無線局１０４ａ〜ｃへチャネル推定情報を提供する。チャネル推定情報は無線局１０４ａ〜ｃに対しネットワーク１０６の特性を提供し、無線局１０４ａ〜ｃが適切にパケットをデコードすることを可能とする。例えば、無線局１０４ａ〜ｃは、判断されたチャネル推定情報を用いて、ＡＰ１０２により送信された、受信したパケットを復調およびデコードし得る。
【００２３】
またＳＩＧシンボル２０６がＡＰ１０２により生成され、ＡＰ１０２により送信されたパケットの構成パラメータを提供する。これらの構成パラメータは、８０２．１１ａｈ規格により規定され、用いられる変調のタイプ、用いられる誤り訂正エンコード、信号帯域幅、および無線局１０４ａ〜ｃに割り当てられるストリームの数などの情報を含む。８０２．１１ａｈ規格内で規定される他のパラメータが含まれ得る。ＳＩＧシンボル２０６が無線局１０４ａ〜ｃにより処理およびデコードされた後、ＡＰ１０２により送信されたパケットは、無線局１０４ａ〜ｃによりデコードされ得る。
【００２４】
ＳＩＧシンボル２０６情報をデコードするために、無線局１０４ａ〜ｃは、ＬＴＦシンボル２０８から判断されるチャネル推定情報を用いる。例えば、無線局１０４ａ〜ｃは、ＬＴＦシンボル２０８内の副搬送波またはトーンをデコードし、ＬＴＦシンボルにより占有される各トーンのチャネル特性を判断する。ＬＴＦシンボル２０８内でデコードされる各トーンは、ＳＩＧシンボル２０６内のトーンに対応し得る。特定のトーンに関してＬＴＦシンボル２０８から判断されたチャネル推定情報を用いて、ＳＩＧシンボル２０６内の対応するトーンがデコードされ得る。ＬＴＦが、ＳＩＧシンボル２０６内の対応するトーンに関するチャネル推定情報を提供しない場合、ＳＩＧシンボル２０６は適切にデコードされ得ず、パケットをデコードするために要する情報はＳＩＧシンボル２０６内に含まれているのでパケット自体が適切にデコードされない。
【００２５】
図３は、８０２．１１ａｈパケット内のプリアンブルフィールドのトーンマッピングの例示的な表現を示す。図３には、８０２．１１ａｈプロトコルに関する２つのサポートされる信号帯域幅、２ＭＨｚおよび４ＭＨｚのトーンマッピングが示される。８０２．１１ａｈプロトコルは、８ＭＨｚおよび１６ＭＨｚなど多くの他の信号帯域幅をサポートし、上記の２つは単に例として示されている。
【００２６】
２ＭＨｚの信号帯域幅に関してＬＴＦシンボルのトーンマッピング３０２が、図３に示されている。ＬＴＦシンボルトーン３０４は、トーン−２８〜−１および１〜２８に亘る。これらのＬＴＦシンボルトーンにより、それぞれの対応するトーン位置においてパケット内のＳＩＧおよびＤＡＴＡシンボルの適切なデコードが可能となる。例えば、２ＭＨｚの信号帯域幅に関するＳＩＧシンボルのトーンマッピング３０８も示されている。ＳＩＧシンボルのトーンも、トーン−２８〜−１および１〜２８に亘る。チャネル推定情報がこれらのトーンに関して判断され得るので、ＳＩＧおよびＤＡＴＡシンボルの対応するトーンは、ＬＴＦシンボルのトーンからのチャネル推定情報を用いて適切にデコードされ得る。
【００２７】
８０２．１１ａｈプロトコルで提案されるように、ベースライン信号帯域幅よりも大きい信号帯域幅で動作する無線局１０４は少なくとも、制御チャネルのベースライン信号帯域幅でＳＩＧシンボル２０６を処理およびデコード出来るべきである。例えば、４ＭＨｚ、８ＭＨｚ、または１６ＭＨｚの信号帯域幅のいずれかで動作する無線局１０４ａ〜ｃは、制御チャネルの２ＭＨｚのＳＩＧシンボルをデコード出来るべきである。他の例として、２ＭＨｚ、４ＭＨｚ、８ＭＨｚ、または１６ＭＨｚの信号帯域幅のいずれかで動作する無線局１０４ａ〜ｃは、制御チャネルの１ＭＨｚのＳＩＧシンボルをデコード出来るべきである。この要求のために、４ＭＨｚ、８ＭＨｚ、および１６ＭＨｚなどのより高い信号帯域幅のＳＩＧシンボルは、より高い信号帯域幅の各２ＭＨｚのサブバンドで２ＭＨｚの信号帯域幅のＳＩＧシンボルのインスタンスを反復および位相回転させることにより生成され得る。
【００２８】
より高い信号帯域幅に亘って２ＭＨｚのＳＩＧシンボルを反復することにより、デコードに関する課題が引き起こされ得る。２ＭＨｚのＳＩＧシンボルの反復に基づいて、より高い信号帯域幅のＳＩＧシンボルは、より高い信号帯域幅に関するＬＴＦシンボルのトーンの外側のトーンを含む。ＳＩＧシンボルおよびＬＴＦシンボルは、ＳＩＧシンボルの適切な適切なデコードおよび処理のために対応するトーンを要するので、ＬＴＦシンボルのトーンの外側のＳＩＧシンボルトーンはチャネル推定情報を有し得ず、正確にデコードされない。例えば、４ＭＨｚの帯域幅の信号のＬＴＦシンボルトーンのマッピング３２２により、チャネル推定トーン３２４が、トーン−５８〜−２および２〜５８に関して判断することが可能となる。しかし、４ＭＨｚの帯域幅の信号のＳＩＧシンボルのトーンマッピング３２８に見られるように、ＳＩＧシンボルトーン３３０はトーン−６０、−５９、５９および６０まで拡張されるこれらの拡張されたトーンは、ＬＴＦシンボル内に対応するトーンを有さず、これにより無線局１０４ａ〜ｃは、これらのトーンのチャネルを推定することが出来なくなり、その結果、ＳＩＧシンボルは適切にデコードされ得なくなる。これらの拡張されたトーンは、２ＭＨｚよりも大きい信号帯域幅に存在し得る。よって、４ＭＨｚ、８ＭＨｚ、または１６ＭＨｚの信号帯域幅で動作する無線局は、８０２．１１ａｈプロトコルの実装に基づくパケット内のＳＩＧシンボルをデコードし得ない。
【００２９】
図４は、８０２．１１ａｈパケット内のプリアンブルフィールドに関する、再規定されたトーンマッピングの例示的な表現を示す。いくつかの実施形態において、ＳＩＧシンボルのデコードに関する課題は、ＳＩＧシンボルのフィールドを再規定することにより対処され得る。ＳＩＧフィールドの情報ビット数を減らすことにより、ＳＩＧシンボルが亘るトーンの数も減らされ得る。例えば、２ＭＨｚの帯域幅のＬＴＦシンボルトーン３０４のトーンマッピング３０２は、図３に説明されるものと同じく、トーン−２８〜−１および１〜２８に亘るよう保たれる。しかし、２ＭＨｚの信号帯域幅のＳＩＧシンボルのトーンマッピング４０８は、トーン−２６〜−１および１〜２６からのＳＩＧトーン４１０に亘るよう再規定される。２ＭＨｚの信号帯域幅のＳＩＧシンボル４０８が依然としてＬＴＦシンボルの対応するトーンを有するので、当該ＳＩＧシンボルに関してトーン３１０の数を減らすことはＳＩＧシンボルのデコードに影響を与え得ない。この技術は、ＳＩＧシンボルの変更のみを要し、ＬＴＦシンボルの変更を要さない。
【００３０】
２ＭＨｚよりも大きい信号帯域幅に関して、２ＭＨｚのＳＩＧシンボル４０８が、信号帯域幅の各２ＭＨｚのサブバンドで反復および位相回転させられる。２ＭＨｚの信号帯域幅に関してＳＩＧシンボル４０８で用いられるトーンの数が減らされるので、２ＭＨｚよりも大きい信号帯域幅のＳＩＧシンボルトーンは、ＬＴＦシンボルのトーンマッピングにより画定され、これにより、２ＭＨｚよりも大きい信号帯域幅のＳＩＧシンボルの正確なデコードが可能となる。例えば、４ＭＨｚの信号帯域幅の、ＳＩＧシンボル４３０のトーンマッピング４２８は、トーン−５８および５８までのみ拡張する。ＳＩＧシンボルトーン４３０は、ＬＴＦシンボル３２４のトーンマッピング３２２において対応するトーンを有する。よって、ＬＴＦシンボルトーン３２４を超えて拡張する、ＳＩＧシンボルトーン３３０などのＳＩＧシンボルトーンの課題が起こらず、チャネル推定情報は、ＳＩＧシンボルの各トーン４３０に関して判断され得る。
【００３１】
いくつかの実施形態において、リザーブビット、およびＰａｒｔｉａｌ  Ａｓｓｏｃｉａｔｉｏｎ  Ｉｄｅｎｔｉｆｉｃａｔｉｏｎ  （ＰＡＩＤ）などの識別情報に対応するＳＩＧフィールドビットが、減らされるビットとして選択され得る。ＰＡＩＤビットは、どの無線局が、送信されたパケットの受信者であるのかを判断するために用いられる。８０２．１１ａｈ規格に準拠するＳＩＧシンボル内に含まれる他のフィールドビットが、ＳＩＧフィールドビットの数を減らすために減らされ得る。
【００３２】
図５は、８０２．１１ａｈパケット内のＬＴＦシンボルに関する再規定されたトーンマッピングの例示的な表現を示す。いくつかの実施形態において、ＳＩＧシンボルのデコードに関する課題は、８０２．１１ａｈパケット２００のプリアンブルで送信される第１ＬＴＦシンボル５２２を再規定することにより対処され得る。例えば、第１ＬＴＦシンボル５２２のトーン５２４の数が、シンボルの両端部に追加のトーンを追加するために増やされ得る。第１ＬＴＦシンボル５２２のトーンの数を増やすことにより、ＳＩＧシンボル３２８は変更される必要がなく、正確にデコードされ得る。ＳＩＧシンボル３２８内の各トーン３３０は、ＬＴＦシンボル５２２内に対応するトーン５２４を有し得、チャネル推定情報は、ＳＩＧシンボル３２８内の各トーン３３０に関して判断され得、これにより、ＳＩＧシンボル３２８を正確にデコードすることが可能となる。ＳＩＧシンボル３２８をデコードするには第１ＬＴＦシンボル５２２のみを要するので、パケット内の後続のＬＴＦ５３２は依然として、前のトーンマッピング５３４（例えば、ＬＴＦ＿２〜ＬＴＦ＿Ｎ）を維持し得る。
【００３３】
第１ＬＴＦシンボル５２２の追加の数のトーンにより、パケット内の後続のＬＴＦシンボル５３２と比較して電力差が引き起こされ得る。パケット内のＤＡＴＡシンボル２１４をデコードするのに要するチャネル推定情報を適切に判断するため、ＬＴＦ間で電力差は解消される必要がある。
【００３４】
いくつかの実施形態において、同じ時間領域電力が、パケット内の全ＬＴＦシンボルに亘り維持され得る。この場合、各ＬＴＦ内の全てのトーンに亘り同じ合計送信電力が分散されて各ＬＴＦは送信される。その結果、第１ＬＴＦ２０６はＳＩＧシンボル２０８をデコードするために追加の数のトーンを有するので、第１ＬＴＦ２０６のトーンは、後続のＬＴＦ２１２内のものと比較してより低いトーン当たりの電力を有する。第１ＬＴＦシンボル２０６のより低いトーン当たりの電力を補償するため、無線局１０４ａ〜ｃ内の補償回路は、予め定められた量の分、第１ＬＴＦシンボル２０６のトーンを増減させて、後続のＬＴＦ２１２のトーン当たりの電力に合致させるよう構成され得る。第１ＬＴＦシンボル２０６のトーン５２４に対して行われる予め定められた量の増減は、パケットが送信される信号帯域幅に基づき得る。
【００３５】
いくつかの実施形態において、同じトーン当たりの周波数領域電力が、パケット内の全てのＬＴＦシンボルに亘って維持され得る。この場合、第１ＬＴＦシンボルのトーンは、後続のＬＴＦシンボルと同じトーン当たりの電力を有するようになるまで増大される。ＡＰ１０２は、パケット内の後続のＬＴＦと同じトーン当たりの電力と合致させるために第１ＬＴＦシンボル内の各トーンを増大させる必要がある電力量を判断するよう構成される送信補償回路を含み得る。送信補償回路は、判断された電力増減値の分、第１ＬＴＦシンボルのトーンを増大させ得、各トーンが、パケット内の全てのＬＴＦシンボルに亘り同じトーン当たりの電力を有することを確実にし得る。
【００３６】
いくつかの実施形態において、同じパケット内の後続のＬＴＦのトーンマッピングも、第１ＬＴＦシンボルのものと同様の追加のトーンを含み得る。このことにより、パケット内の全てのＬＴＦシンボルに関してトーン当たりの電力が同じとなり、ＡＰ１０２からの送信の間、または、無線局１０４ａ〜ｃにおけるデコードの間、さらに増減を実施する必要がない。
【００３７】
図６は、複数の異なる信号帯域幅のＬＴＦシーケンスの例を示す。上記にて説明したように、２ＭＨｚよりも大きい信号帯域幅に関して、２ＭＨｚのＳＩＧシンボル４０８が信号帯域幅の各２ＭＨｚのサブバンドで反復および位相回転される。２ＭＨｚのＳＩＧシンボルが複数のサブバンドに亘り反復されるので、各信号帯域幅に関して異なるＬＴＦシーケンスではなく単一のＬＴＦシーケンスが用いられ得る。いくつかの実施形態において、２ＭＨｚよりも大きい信号帯域幅のＬＴＦシンボルは、２ＭＨｚのＬＴＦシンボルの反復から構成され得る。
【００３８】
特定の場合において、ＤＡＴＡシンボル内のトーンは、２ＭＨｚのＬＴＦの反復から構成されるＬＴＦシンボル内に対応するトーンを有さないかもしれない。これらの位置において予め定められたトーン値によりＬＴＦシンボルを埋めることにより、ＤＡＴＡシンボルの全てのトーンは、ＬＴＦシンボル内に対応するトーンを有することになる。チャネル推定情報は、ＬＴＦシンボルから判断され得、ＤＡＴＡシンボルは正確に処理され得る。
【００３９】
図６に示されるように、２つの例示的なＬＴＦシーケンス、ＬＴＦｌｅｆｔ６０２およびＬＴＦｒｉｇｈｔ６０４が、各信号帯域幅のＬＴＦシンボルを生成するために用いられる。８０２．１１ａｃプロトコルのＬＴＦシーケンスに基づく、２ＭＨｚのＬＴＦシンボルシーケンス６０６が示されている。
【００４０】
しかし、８０２．１１ａｃプロトコル基づくと、４ＭＨｚのＬＴＦシンボルシーケンス６０８は、２ＭＨｚのＬＴＦシンボルの反復から構成されない。代わりに、２ＭＨｚのＬＴＦシンボルの一部６０７のみが、４ＭＨｚのＬＴＦシンボル６０８に亘り反復される。このことが意味するのは、２ＭＨｚの信号帯域幅および２ＭＨｚよりも大きい信号帯域幅をサポートするには異なるＬＴＦシーケンスを要するということである。
【００４１】
全ての信号帯域幅に亘り１つのＬＴＦシーケンスを用いるために、新たなＬＴＦシーケンスが用いられるべきである。  ２ＭＨｚのＬＴＦシンボルの一部６０７を用いる代わりに、４ＭＨｚのＬＴＦシンボル６１０は、２ＭＨｚのＬＴＦシンボル６０６の反復から構成され得る。４ＭＨｚのＬＴＦシンボルにおいて２ＭＨｚのＬＴＦシーケンスが位置付けられる位置により、ＳＩＧシンボルは、デコードのために正確に同じＬＴＦシンボルを用いることが可能となる。このことにより、全ての信号帯域幅に亘り単一のＬＴＦシンボルシーケンスを用いることが可能となる。２ＭＨｚのＬＴＦシーケンスの反復の間のＬＴＦシンボルのトーンは、何らかの任意の、１および−１の順列で埋められ得る。同様に、４ＭＨｚよりも大きい信号帯域幅のＬＴＦシンボルは、４ＭＨｚのＬＴＦシンボルで同様のやり方で構成され得る。
【００４２】
図７は、プリアンブルを生成するための例示的な処理を示す。７０２において、制御回路によりＬＴＦシーケンスが生成される。ＬＴＦシーケンスは、パケットが送信される信号帯域幅に基づく。７０４において、ＬＴＦシンボルを含むプリアンブルが生成される。ＬＴＦシンボルは、生成されるＬＴＦシーケンスに基づく。どの信号帯域幅が用られるかに応じて、ＬＴＦシンボルはＬＴＦシーケンスの反復に基づいて生成され得る。またこれらの反復は、ＬＴＦシンボル内で位相回転され得る。例えば、４ＭＨｚのＬＴＦシンボルは２ＭＨｚのＬＴＦシンボルなどベースライン帯域幅のＬＴＦシンボルの反復に基づいて生成され得る。
【００４３】
いくつかの実施形態において、ＬＴＦシーケンスの一部は、ＬＴＦシンボルのガードトーンの内側に位置付けられる。ガードトーンは、隣接するチャネルの分離のために確保された、ＬＴＦシンボルの端部におけるトーンである。ガードトーンは、トーン位置においてゼロの値を送信することにより生成される。ガードトーンの位置に非ゼロ値を設定することにより、チャネル推定情報が、それらのトーン位置に関して判断され得、このことはＳＩＧシンボルをデコードする際に助けとなり得る。ＬＴＦシーケンスがガードシンボルへ拡張することにより、チャネル推定情報が、ガードトーンの内側のトーンに関して判断され得る。
【００４４】
いくつかの実施形態において、ガードトーンの内側のＬＴＦシーケンス値は、１および−１などの値の非ゼロ値が選択される。いくつかの実施形態において、ＬＴＦシーケンスは、ＬＴＦシンボルの両端に位置するガードトーンへ拡張し得る。
【００４５】
７０６において、送信回路を用いて、ＡＰ１０２から無線局１０４ａ〜ｃへ無線パケット内でプリアンブルが送信される。送信回路は、ＬＴＦシンボル内で送信される各トーンの電力を増減させ得る。ガードトーンに位置付けられる追加のトーンがＬＴＦシンボルに追加されるので、トーン当たりの電力は低下する。合計送信電力は一定であり得るので、トーン当たりの電力は、より多くのトーンが追加されると低下する。この低下を補償するために、送信回路は、自身のガードトーンの内側にトーンを有さない他のＬＴＦシンボルのトーン当たりの電力に基づいて増減率を判断し得る。送信回路はこの増減率を、ＬＴＦシンボルのトーンへ適用し得る。
【００４６】
上記は、本開示の原理の例示に過ぎず、様々な修正が、本開示の範囲から逸脱することなく可能である。例えば、制御回路および送信回路はＡＰ１０２に関して説明されたが、無線局１０４ａ〜ｃは、ＡＰ１０２により生成されるプリアンブルを受信するよう構成され得る。ＡＰ１０２により送信されるプリアンブル内のＬＴＦシンボル２０６は、本開示に開示されるやり方で生成されるＬＴＦおよびＳＩＧシンボルをデコードするよう構成され得る。
【００４７】
さらに、本開示の更なる態様は、以下の項のうち１または複数に関する。本開示の態様において、８０２．１１ａｈパケットを送信するための方法が提供され得る。方法は、制御回路を用いて、トレーニングフィールドシーケンスを生成する段階と、パケットのプリアンブルを生成する段階とを含み得る。プリアンブルはトレーニングフィールドシンボルを含み、トレーニングフィールドシンボルはトレーニングフィールドシーケンスを含む。トレーニングフィールドシーケンスの一部はトレーニングフィールドシンボルの複数のガードトーンの内側にあり得る。プリアンブルは、送信回路を用いて送信され得る。
【００４８】
いくつかの実施例において、トレーニングフィールドシンボルの複数のガードトーンの内側にあるトレーニングフィールドシーケンスの一部は非ゼロであり得る。いくつかの実施例において、トレーニングフィールドシンボルの複数のガードトーンの内側にあるトレーニングフィールドシーケンスの一部は、トレーニングフィールドシンボルの両端に位置する複数のガードトーンの内側にあるトレーニングフィールドシーケンスの両端にあり得る。いくつかの実施例において、トレーニングフィールドシーケンスは、ベースライン帯域幅のものと実質的に同様のトレーニングフィールドシーケンスの複数の反復に基づく。ベースライン帯域幅のトレーニングフィールドシーケンスは、｛１，１，ＬＴＦｌｅｆｔ，０，ＬＴＦｒｉｇｈｔ，−１，−１｝であるビットシーケンスを含み得、
ＬＴＦｌｅｆｔおよびＬＴＦｒｉｇｈｔは、予め定められたトレーニングフィールドビットシーケンスである。ベースライン帯域幅は２ＭＨｚであり得る。パケットのプリアンブルを生成する段階は、ベースライン帯域幅よりも大きい帯域幅のプリアンブルを生成する段階を含み得る。いくつかの実施例において、トレーニングフィールドシンボルは第１トレーニングフィールドシンボルであり得、
プリアンブルを送信する段階は、第２トレーニングフィールドシンボルと同じトーン当たりの周波数領域電力で第１トレーニングフィールドシンボルを送信する段階を含む。第１トレーニングフィールドシンボルおよび第２トレーニングフィールドシンボルは同じパケット内にあり得る。第２トレーニングフィールドシンボルは、第２トレーニングフィールドシンボルの複数のガードトーンにより画定されるトレーニングフィールドシーケンスを含み得る。
【００４９】
本開示の他の態様において、８０２．１１ａｈパケットを送信するためのシステムが提供され得る。システムはプリアンブル回路を含み得、
プリアンブル回路は、
トレーニングフィールドシーケンスを生成し、
パケットのプリアンブルを生成するよう構成される。プリアンブルはトレーニングフィールドシンボルを含み、
トレーニングフィールドシンボルはトレーニングフィールドシーケンスを含む。トレーニングフィールドシーケンスの一部はトレーニングフィールドシンボルの複数のガードトーンの内側にある。プリアンブルが送信のために提供される。
【００５０】
いくつかの実施例において、トレーニングフィールドシンボルの複数のガードトーンの内側にあるトレーニングフィールドシーケンスの一部は非ゼロであり得る。いくつかの実施例において、トレーニングフィールドシンボルの複数のガードトーンの内側にあるトレーニングフィールドシーケンスの一部は、トレーニングフィールドシンボルの両端に位置する複数のガードトーンの内側にあるトレーニングフィールドシーケンスの両端にあり得る。いくつかの実施例において、トレーニングフィールドシーケンスは、ベースライン帯域幅のものと実質的に同様のトレーニングフィールドシーケンスの複数の反復に基づく。ベースライン帯域幅のトレーニングフィールドシーケンスは、｛１，１，ＬＴＦｌｅｆｔ，０，ＬＴＦｒｉｇｈｔ，−１，−１｝であるビットシーケンスを含み得、
ＬＴＦｌｅｆｔおよびＬＴＦｒｉｇｈｔは、予め定められたトレーニングフィールドビットシーケンスである。ベースライン帯域幅は２ＭＨｚであり得る。プリアンブル回路は、ベースライン帯域幅よりも大きい帯域幅のプリアンブルを生成するよう構成され得る。いくつかの実施例において、トレーニングフィールドシンボルは第１トレーニングフィールドシンボルであり得、
システムは、第２トレーニングフィールドシンボルと同じトーン当たりの周波数領域電力で第１トレーニングフィールドシンボルを送信するよう構成された送信回路を含む。第１トレーニングフィールドシンボルおよび第２トレーニングフィールドシンボルは同じパケット内にあり得る。第２トレーニングフィールドシンボルは、第２トレーニングフィールドシンボルの複数のガードトーンにより画定されるトレーニングフィールドシーケンスを含み得る。
【００５１】
本開示の上述した実施形態は限定ではなく例示を目的として提示されており、本開示は以下に続く請求項によってのみ限定される。
【図１】
2015510339.tif 000003
【図２】
2015510339.tif 000004
【図３】
2015510339.tif 000005
【図４】
2015510339.tif 000006
【図５】
2015510339.tif 000007
【図６】
2015510339.tif 000008
【図７】
2015510339.tif 000009
【国際調査報告】
2015510339.tif 000010
2015510339.tif 000011